(57)【要約】【課題】異物の進入を低減して信頼性の高いレンズ鏡筒を提供する。【解決手段】レンズ鏡筒は、回転駆動されるカム環と、カム環の外周に設けられ、最も被写体側のレンズを光軸方向に移動可能に保持するレンズ枠と、レンズ枠の外周に設けられてレンズバリアを保持するバリア筒とを有し、レンズバリアは、レンズの被写体側の面で開閉動作を行いバリア開状態およびバリア閉状態の間を移行可能なバリア羽根、および、バリア筒に対して回転することによりバリア羽根を駆動するバリア駆動部材を備え、レンズ枠にはレンズの周囲に溝部が設けられ、バリア駆動部材には、バリア開状態において、レンズ枠の溝部に向けて突出する突起部が設けられている。【選択図】図１
2014106295.tif 000002
【特許請求の範囲】
【請求項１】
回転駆動されるカム環と、
前記カム環の外周に設けられ、最も被写体側のレンズを光軸方向に移動可能に保持するレンズ枠と、
前記レンズ枠の外周に設けられてレンズバリアを保持するバリア筒と、を有し、
前記レンズバリアは、前記レンズの前記被写体側の面で開閉動作を行いバリア開状態およびバリア閉状態の間を移行可能なバリア羽根、および、前記バリア筒に対して回転することにより該バリア羽根を駆動するバリア駆動部材を備え、
前記レンズ枠には前記レンズの周囲に溝部が設けられ、
前記バリア駆動部材には、前記レンズ枠の前記溝部に向けて突出する突起部が設けられている、ことを特徴とするレンズ鏡筒。
【請求項２】
前記バリア開状態において、前記突起部の少なくとも先端は、前記溝部の内部に挿入されていることを特徴とする請求項１に記載のレンズ鏡筒。
【請求項３】
前記レンズ枠の前記溝部の周囲には、凹凸部が形成されていることを特徴とする請求項１または２に記載のレンズ鏡筒。
【請求項４】
前記バリア開状態において、前記凹凸部と前記バリア筒または前記バリア駆動部材との間の前記光軸方向の隙間は、前記溝部と前記突起部との間の隙間よりも狭いことを特徴とする請求項３に記載のレンズ鏡筒。
【請求項５】
前記レンズ鏡筒は、沈胴状態と繰り出し状態との間で移動可能に構成されており、
前記沈胴状態において前記レンズバリアは前記バリア閉状態となり、
前記繰り出し状態において前記レンズバリアは前記バリア開状態となり、
前記繰り出し状態における前記レンズ枠と前記バリア筒または前記バリア駆動部材との間の前記光軸方向の隙間は、前記沈胴状態の場合の隙間よりも狭くなるように構成されていることを特徴とする請求項１乃至４のいずれか１項に記載のレンズ鏡筒。
【請求項６】
前記レンズ枠には、前記レンズを該レンズ枠に接着する接着剤を溜める接着溝が設けられ、
前記溝部と前記突起部は、前記接着溝を避けるように設けられていることを特徴とすることを特徴とする請求項１乃至５のいずれか１項に記載のレンズ鏡筒。
【請求項７】
前記カム環の外周面には、前記レンズ枠のカムピンと係合するレンズ枠用カム溝、および、前記バリア筒のカムピンと係合するバリア筒用カム溝が設けられ、
前記レンズ枠用カム溝と前記バリア筒用カム溝のカム軌跡の少なくとも一部は互いに異なっていることを特徴とする請求項１乃至６のいずれか１項に記載のレンズ鏡筒。
【請求項８】
請求項１乃至７のいずれか１項に記載のレンズ鏡筒を有することを特徴とする撮像装置。
【発明の詳細な説明】
【技術分野】
【０００１】
本発明は、レンズ鏡筒に関し、特にバリア筒を備えたレンズ鏡筒に関する。
【背景技術】
【０００２】
従来から、沈胴状態と繰り出し状態との間で移動可能な沈胴式レンズ鏡筒が知られている。このようなレンズ鏡筒は、回転するカム環によって最も被写体側に位置する第１レンズ群の沈胴および繰り出しを行う。またレンズ鏡筒は、第１レンズ群の前方に位置し、沈胴状態でレンズを覆い撮影状態（繰り出し状態）でレンズを露出するレンズバリアを備えている。
【０００３】
特許文献１には、カム環と、カム環の外周に位置し光軸方向に直進案内された第１レンズ群枠、および、第１レンズ枠の外周に位置してレンズバリアを備えた遮光飾り筒を有するズームレンズの鏡筒構造が開示されている。このズームレンズの鏡筒構造は、カム環の外周面に形成され、第１レンズ枠に設けられたカムフォロアと係合するレンズ群枠用カム溝、および、遮光飾り筒に設けられたカムフォロアと係合する飾り筒用カム溝を有する。遮光飾り筒のカムフォロアは、第１レンズ群枠に形成された光軸と平行な直進案内溝を通って飾り筒用カム溝に係合している。また、レンズ群枠用カム溝と飾り筒用カム溝は、ズームレンズの撮影領域において、第１レンズ枠と遮光飾り筒を同一の軌跡で光軸方向に移動させる形状を有する。これにより、第一レンズ枠と遮光飾り筒の沈胴状態から繰り出し状態までのカム軌跡を異ならせることができるため、レンズバリアが開いた後にレンズバリアの配置スペースまで第１レンズ群を繰り出すことが可能である。
【０００４】
一方、従来から、レンズバリアからの砂ゴミの侵入を防ぐように構成されたレンズ鏡筒が提案されている。特許文献２には、第１レンズ群およびレンズバリアを保持する鏡筒、および、バリア羽根を開閉するように回転駆動するバリア駆動部材を備えたバリア機構が開示されている。特許文献２のバリア機構において、バリア駆動部材には回転力が伝達される連動レバーが設けられ、鏡筒には連動レバーが挿通される貫通穴が形成されている。またバリア駆動部材は、バリア羽根が開状態から閉状態までの動作に伴う回転中に、貫通穴を覆うフランジ部を有する。このような構成により、貫通穴からレンズ鏡筒の内部への砂ゴミの侵入を防ぐ。
【先行技術文献】
【特許文献】
【０００５】
【特許文献１】特開２００４−２５８６４６号公報
【特許文献２】特開２００９−４２６４０号公報
【発明の概要】
【発明が解決しようとする課題】
【０００６】
しかしながら、特許文献１、２に開示された構成では、遮光飾り筒と第１レンズ枠との間の隙間から砂ゴミなどの異物が侵入する可能性がある。
【０００７】
そこで本発明は、異物の進入を低減して信頼性の高いレンズ鏡筒および撮像装置を提供する。
【課題を解決するための手段】
【０００８】
本発明の一側面としてのレンズ鏡筒は、回転駆動されるカム環と、前記カム環の外周に設けられ、最も被写体側のレンズを光軸方向に移動可能に保持するレンズ枠と、前記レンズ枠の外周に設けられてレンズバリアを保持するバリア筒とを有し、前記レンズバリアは、前記レンズの前記被写体側の面で開閉動作を行いバリア開状態およびバリア閉状態の間を移行可能なバリア羽根、および、前記バリア筒に対して回転することにより該バリア羽根を駆動するバリア駆動部材を備え、前記レンズ枠には前記レンズの周囲に溝部が設けられ、前記バリア駆動部材には、前記バリア開状態において、前記レンズ枠の前記溝部に向けて突出する突起部が設けられている。
【０００９】
本発明の他の側面としての撮像装置は、前記レンズ鏡筒を有する。
【００１０】
本発明の他の目的及び特徴は、以下の実施例において説明される。
【発明の効果】
【００１１】
本発明によれば、異物の進入を低減して信頼性の高いレンズ鏡筒および撮像装置を提供することができる。
【図面の簡単な説明】
【００１２】
【図１】本実施例におけるレンズ鏡筒を構成する第１レンズ群およびバリア筒の分解斜視図である。
【図２】本実施例におけるレンズ鏡筒（鏡筒ユニット）の分解斜視図である。
【図３】本実施例におけるレンズ鏡筒の撮影状態（繰り出し状態）を示す断面図である。
【図４】本実施例におけるレンズ鏡筒の沈胴状態を示す断面図である。
【図５】本実施例におけるレンズバリアのバリア閉状態を示す部分斜視図である。
【図６】本実施例における第１レンズ群とバリア群のタイミングチャートである。
【図７】本実施例におけるバリアドライブリングのバリア開状態を示す正面図である。
【図８】本実施例におけるバリアドライブリングのバリア閉状態を示す正面図である。
【図９】本実施例における撮像装置の外観斜視図である。
【発明を実施するための形態】
【００１３】
以下、本発明の実施例について、図面を参照しながら詳細に説明する。各図において、同一の部材については同一の参照番号を付し、重複する説明は省略する。
【００１４】
まず、図１乃至図４を参照して、本実施例におけるレンズ鏡筒の構成について説明する。図１は、レンズ鏡筒１の第１レンズ群１００およびバリア群１５０の分解斜視図である。図２は、レンズ鏡筒１（鏡筒ユニット）の分解斜視図である。図３は、レンズ鏡筒１の撮影状態（繰り出し状態）を示す断面図である。図４は、レンズ鏡筒１の沈胴状態を示す断面図である。
【００１５】
第１レンズ群１００は、第１レンズ１０１、および、第１レンズ１０１を保持する円筒状の第１レンズ枠１０２を備えて構成される。第１レンズ枠１０２は、光軸ＯＡの方向（光軸方向）に直進案内されるようにカム筒６０１の外周に設けられ、最も被写体側のレンズ（第１レンズ１０１）を保持するレンズ枠である。第１レンズ枠１０２の内周面には、径方向の内側に突出するとともに内周方向に等角度の間隔で配置されたカムピン１０２ａ、および、第１レンズ群１００を回転規制するキー溝（不図示）が設けられている。また、第１レンズ枠１０２の外周面には、第１レンズ枠１０２の円筒部を光軸ＯＡの方向（光軸方向）に切り欠くように、バリア群を回転規制するキー溝１０２ｃが等角度の間隔で設けられている。なお本実施例において、カムピン１０２ａと第１レンズ枠１０２は互いに別の部材で構成されているが、これに限定されるものではない。カムピン１０２ａを第１レンズ枠１０２と一体的に構成してもよい。
【００１６】
バリア群１５０は、バリア筒１５１、バリアドライブリング１５２、バリア開きばね１５３、バリア主羽根１５４、バリア副羽根１５５、キャップテープ１５６、および、キャップ１５７を備えて構成される。バリア筒１５１は、第１レンズ枠１０２の外周に設けられてレンズバリア（バリアドライブリング１５２、バリア開きばね１５３、バリア主羽根１５４、バリア副羽根１５５、キャップテープ１５６、および、キャップ１５７）を保持する。
【００１７】
キャップ１５７は、キャップテープ１５６により、バリア筒１５１の被写体側に取り付けられる。バリア筒１５１の内周面には、径方向の内側に突出するとともに内周方向に等角度の間隔で配置されたカムピン１５１ａが設けられている。また、カムピン１５１ａの根元部には、バリア群１５０を回転規制する直進キー１５１ｂが設けられている。直進キー１５１ｂは、第１レンズ枠１０２のキー溝１０２ｃと嵌合し、直進ガイドされる。
【００１８】
第２レンズ群２００は、第２レンズ２０１、および、第２レンズ２０１を保持する円筒状の第２レンズ枠２０２を備えて構成される。第２レンズ枠２０２の外周面には、径方向の外側に突出するとともに外周方向に等角度の間隔で配置されたカムピン２０２ａ、および、第２レンズ群２００を回転規制する直進キー２０２ｂが設けられている。
【００１９】
第３レンズ群３００は、３群ベース３０３の結像面側に、光量調整部材であるシャッター羽根３１０、ＮＤフィルター３１２、セパレートシート３１１、シャッターカバー３１３、および、シャッターＡｃｔ（不図示）を備えて構成される。また第３レンズ群３００は、３群ベース３０３の被写体側に、第３レンズ３０１および第３レンズ枠３０２を備えて構成される。また被写体側に、第３レンズ群３００は、ＩＳコイル３０４、ＩＳボール３０５、ＩＳばね３０６、キャップ３０７、ＩＳホルダー３０８、ＦＰＣ３０９、および、ＦＰＣ３０９に固定されたＩＳセンサー３１６を備えて構成される。
【００２０】
第３レンズ枠３０２は、第３レンズ３０１を保持するとともに被写体側の光量を規制するキャップ３０７が取り付けられる。また第３レンズ枠３０２は、ＩＳマグネット３１５を保持し、ＩＳボール３０５およびＩＳばね３０７の作用により３群ベース３０３に移動可能に保持される。また第３レンズ枠３０２は、ＩＳコイル３０４およびＩＳマグネット３１５の作用により発生する駆動力に基づいて任意の位置へ移動し、ＩＳセンサー３１６により位置制御される。
【００２１】
第１レンズ枠１０２の内側には、カム筒６０１（カム環）に回動自在かつ直進プレート６０４に回転規制されつつ、第１レンズ群１００、第２レンズ群２００、および、第３レンズ群３００の回転を規制して光軸方向に直進案内する直進筒６０２が設けられている。カム筒６０１は、回転駆動可能に構成されている。直進筒６０２の外周面には、直進プレート６０４の直進キー６０４ａと嵌合するとともに回転規制するためのキー溝６０２ｄを備えており、被写体側には第１レンズ枠１０２のキー溝１０２ｂと嵌合する直進キー６０２ａを備えている。また、直進筒６０２の内周面には、第２レンズ枠２０２の直進キー２０２ｂを回転規制するための貫通したキー溝６０２ｂ、３群ベース３０３の直進キー３０３ｂを回転規制するための貫通したキー溝６０２ｃが等角度間隔で配置されている。直進筒６０２の結像面側には、有害光を遮断する遮光板６０３が取り付けられる。直進筒６０２の外周面は、カム筒６０１の内面と嵌合し、カム筒６０１とバヨネット結合することにより、カム筒６０１と相対的に回転可能に保持される。
【００２２】
直進プレート６０４には、光軸方向に伸びた直進筒６０２のキー溝６０２ｄと嵌合する直進キー６０４ａ、カバー筒５０３のキー溝５０３ｂと嵌合する直進キー６０４ｂが備えられている。また直進プレート６０４は、カムカバー５０１とバヨネット結合することにより、カムかバー５０１と相対的に回転可能に保持される。また直進プレート６０４の円弧上の外周部には、固定筒７０１の内周面に設けられたキー溝７０１ａと嵌合して直進規制される直進キー６０４ｃが等角度間隔で設けられている。
【００２３】
カム筒６０１の外周部には、直進プレート６０４に回転規制され、カムカバー５０１により光軸方向に進退するカバー筒５０３が配置されている。カバー筒５０３の内周面には、直進プレート６０４の直進キー６０４ｂと嵌合するキー溝５０３ｂが設けられている。またカバー筒５０３の外周面には、径方向の外側に突出するとともにカムカバー５０１の内面に設けられたカム溝５０１ｂに挿入され、外周方向に等角度の間隔で設けられたカムピン５０３ａが設けられている。カバー筒５０３の被写体側には、カバー筒５０３の補強と装飾を兼ねるカムカバーリング５０４が取り付けられる。
【００２４】
カムカバー５０１の外周面には、径方向の外側に突出するとともに固定筒７０１の内周面に設けられたカム溝７０１ｂに挿入され、外周方向に等角度の間隔で設けられたカムピン５０１ａが設けられている。またカムカバー５０１の外周面には、第５ギアと連結するギア部５０１ｃが設けられている。カムカバー５０１の内周面には、カバー筒５０３のカムピン５０３ａが挿入されるカム溝５０１ｂが等角度の間隔で設けられており、また、カム筒６０１の回転キー６０１ｅと嵌合するキー溝５０１ｄが設けられており。またカムカバー５０１の被写体側には、カムカバー５０１の補強と装飾を兼ねるカム筒リング５０２が取り付けられる。
【００２５】
カム筒６０１の内周面には、第２レンズ枠２０２のカムピン２０２ａが挿入されるカム溝６０１ｃ、および、３群ベース３０３のカムピン３０３ａが挿入されるカム溝６０１ｄがそれぞれ等角度の間隔で設けられている。カム筒６０１の外周面には、カム溝６０１ａ、６０１ｂがそれぞれ等角度の間隔で設けられている。カム溝６０１ａは、第１レンズ枠１０２のカムピン１０２ａが挿入されて係合するレンズ枠用カム溝である。カム溝６０１ｂは、バリア筒１５１のカムピン１５１ａが挿入されて係合するバリア筒用カム溝である。本実施例において、カム溝６０１ａとカム溝６０１ｂのカム軌跡の少なくとも一部は互いに異なっている。
【００２６】
また、カム筒６０１の外周面には、カムカバー５０１のキー溝５０１ｄと嵌合する回転キー６０１ｅが設けられている。カム筒６０１は、カバー筒５０３とバヨネット結合しており、直進筒６０２、直進プレート６０４、および、カムカバー５０１の作用により、カバー筒５０３と回転可能に保持され、カムカバー５０１の作用により光軸方向へ進退する。
【００２７】
カムカバー５０１の外周には、固定筒７０１が配置される。固定筒７０１の内周面には、直進プレート６０４の直進キー６０４ａと嵌合して回転規制するキー溝７０１ａ、および、カムカバー５０１のカムピン５０１ａが挿入されるカム溝７０１ｂが、それぞれ等角度の間隔で設けられている。また固定筒７０１の被写体側には、レンズ鏡筒１の内部への異物侵入を防止する防砂シート７０４が配置される。
【００２８】
センサーホルダー７００は、第４レンズ群４００の駆動源４１０、第４レンズ群４００のメインガイド４０４、レンズ鏡筒１の駆動源７０３、駆動源７０３の動力をカムカバー５０１へ伝達するギア７１１〜ギア７１５を保持する。ギア７１１〜ギア７１４は、ギアカバー７０２によりセンサーホルダー７００に保持される。ギア７１５は、固定筒７０１およびセンサーホルダー７００により保持される。
【００２９】
第４レンズ群４００は、第４レンズ４０１および第４レンズ保持枠４０２を備えて構成される。第４レンズ群４００は、メインガイド４０４、センサーホルダー７００に設けられたサブガイド７００ａにより回転規制される。第４レンズ群４００は、駆動源４１０に設けられたスクリュー４１１と螺合し駆動源４１０の回転により光軸方向に進退するナット４１２、および、第４レンズ保持枠４０２とナット４１２とを当接させるスプリング４０３により、光軸方向に移動可能に配置される。
【００３０】
撮像素子８００をセンサーホルダー７００に固定する際、ねじ８３０で取り付けられたセンサーラバー８１０の弾性を利用して、保護ガラス８２０をセンサーホルダー７００に押しつけるように固定する。センサーホルダー７００と固定筒７０１を、ねじ８４０で固定することで、レンズ鏡筒１をユニット化している。本実施例において、レンズ鏡筒１が沈胴状態から撮影状態（繰り出し状態）に移行する場合、まず駆動源７０３の動力によりギア７１１〜７１５が回転し、続いてカムカバー５０１が回転駆動する。
【００３１】
カムカバー５０１は、固定筒７０１の内側と嵌合し、その内側に設けられたカム溝７０１ｂの作用により、光軸方向に回転しながら繰り出される。カムカバー５０１が回転すると、カム筒６０１は、カムカバー５０１、直進プレート６０４、直進筒６０２、および、カバー筒５０３の作用により、光軸方向に回転しながら繰り出される。
【００３２】
直進筒６０２は、バヨネット結合によりカム筒６０１に相対的に回転可能に保持されており、また直進プレート６０４により回転規制されている。このため直進筒６０２は、カム筒６０１が回転すると光軸方向へ直進移動しながら繰り出される。カム筒６０１にカム結合している第１レンズ群１００、バリア群１５０、第２レンズ群２００、および、第３レンズ群３００は、カム筒６０１および直進筒６０２の作用により、光軸方向に直進移動しながら繰り出される。
【００３３】
第４レンズ群４００は、駆動源４１０に設けられたスクリュー４１１およびナット４１２の作用により、光軸方向に移動可能に保持されるとともに、メインガイド４０４およびサブガイド７００ａにより回転規制されている。このため、第４レンズ群４００は、カム筒６０１の移動とは関係なく、独立して光軸方向に直進移動しながら繰り出される。
【００３４】
以上の構成により、カムカバー５０１が回転して各レンズ群が沈胴位置から被写体側に向けて繰り出すことにより、レンズ鏡筒１が沈胴状態から撮影状態（繰り出し状態）へ移行する。本実施例において、第１レンズ群１００の移動距離を、バリア群１５０の移動距離よりも長くなるようにカム溝を設定することで、バリアが退避した後のスペースに第１レンズ群１００を繰り出すことが可能になる。なお本実施例のレンズ鏡筒１において、固定筒７０１、カムカバー５０１、および、カム筒６０１の作用により、適宜相互間の距離が調整されてズーミングが行われる。
【００３５】
次に、図１および図５を参照して、レンズ鏡筒１におけるバリア部材（レンズバリア）の開閉動作について説明する。図５は、本実施例におけるレンズバリアのバリア閉状態を示す部分斜視図である。バリア筒１５１には、被写体側における光軸ＯＡを挟んで対向する２箇所に、それぞれ、バリア主羽根１５４の回転軸１５４ａが挿入される回転穴１５１ｃ、および、バリア副羽根１５５の回転穴１５５ａに挿入される回転軸１５１ｄを備える。また本実施例において、レンズバリアは、バリア羽根（バリア主羽根１５４、バリア副羽根１５５）およびバリア駆動部材（バリアドライブリング１５２）を備えて構成される。バリア羽根は、第１レンズ１０１の被写体側の面で開閉動作を行いバリア開状態およびバリア閉状態の間を移行可能である。バリア駆動部材は、バリア筒１５１に対して回転することによりバリア羽根を駆動する。
【００３６】
バリア主羽根１５４には、回転軸１５４ａ、ばね係止部１５４ｂ、バリアドライブリング１５２の当接面１５２ｂと接する平面部１５４ｃ、および、バリア副羽根１５５と当接する当接面１５４ｄが設けられている。バリア主羽根１５４は、回転軸１５４ａがバリア筒１５１の回転穴１５１ｃに挿入されることにより、バリア筒１５１に回転可能に保持される。
【００３７】
バリア副羽根１５５には、バリア筒１５１に設けられた回転軸１５１ｄが挿入される回転穴１５５ａ、および、バリア主羽根１５４の当接面１５４ｄと接する当接面１５５ｂが設けられている。バリア副羽根１５５は、回転穴１５５ａにバリア筒１５１の回転軸１５１ｄが挿入されることにより、バリア筒１５１に回転可能に保持される。
【００３８】
バリアドライブリング１５２は、カム筒６０１の回転に連動して回転するように、バリア筒１５１の前面部分（被写体側）にバヨネット結合により回動可能に装着されている。また、バリアドライブリング１５２は、光軸を挟んで対向する２箇所（直径方向の２箇所）に、それぞれ、ばね掛け部１５２ａ、および、バリア主羽根１５４との当接面１５２ｂが周方向に突出するように設けられている。
【００３９】
バリア主羽根１５４のばね係止部１５４ｂとバリアドライブリング１５２のばね掛け部１５２ａとの間には、引張コイルばね（コイルスプリング）である開きばね１５３を架設されている。このような構成により、バリアドライブリング１５２には、開きばね１５３によってバリア主羽根１５４が開く方向（図５中の矢印０１０で示される方向）に回転力が与えられる。
【００４０】
バリア主羽根１５４およびバリア副羽根１５５（バリア羽根）は、共に、同形状の２組の羽根を用いて、レンズ鏡筒１の沈胴状態時において第１レンズ１０１の前面（被写体側面）を覆うように構成されている。バリア主羽根１５４は、その回転軸１５４ａがバリア筒１５１の前面に設けられた回転穴１５１ｃと嵌合し、回転軸１５４ａを中心に回転して開閉動作可能に装着される。バリア副羽根１５５は、その回転穴１５５ａがバリア筒１５１の前面に設けられた回転軸１５１ｄと嵌合し、回転軸１５１ｄを中心に回転して開閉動作可能に装着される。
【００４１】
続いて、レンズ鏡筒１におけるバリア主羽根１５４およびバリア副羽根１５５（バリア羽根）を開閉するための構成について詳述する。バリアドライブリング１５２は、略円環状に形成されており、その外周面においてＬ字型状に折曲して延出された連動部１５２ｃが一体的に設けられている。レンズ鏡筒１の沈胴状態時において、連動部１５２ｃは、カム筒６０１の前方（被写体側）に設けられたバリア駆動部６０１ｆに当接する。
【００４２】
バリア羽根が閉状態から開状態へ移行する場合、バリアドライブリング１５２の連動部１５２ｃは、開きばね１５３の開き付勢力によりバリア駆動部６０１ｆに当接しながら、バリア主羽根１５４を図５中の矢印０１０で示される方向（バリア開方向）に回転させる。バリアドライブリング１５２には、当接面１５２ｂが設けられている。バリア開動作時に、バリアドライブリング１５２の当接面１５２ｂがバリア主羽根１５４の平面部１５４ｃと当接することにより、バリアドライブリング１５２の回転力をバリア主羽根１５４に伝達し、バリア主羽根１５４が開く。このとき、バリア副羽根１５５は、バリア主羽根１５４との合わせ面１５５ｃがバリア主羽根１５４の先端部１５４ｅに押し退けられることにより開く。バリア副羽根１５５は、回転付勢されていないため、バリア主羽根１５４の開動作を妨げることなく、閉じ状態から開き動作へ移行する。
【００４３】
一方、バリア羽根が開状態から閉状態へ移行する場合、カム筒６０１のバリア駆動部６０１ｆは、開きばね１５３の開方向（図５中の矢印０１０の方向）の付勢力に抗して、バリアドライブリング１５２をバリア閉方向（図５中の矢印０１１の方向）に回転させる。すなわち、レンズ鏡筒１（撮像装置）の沈胴動作時に、駆動源７０３から伝達された回転駆動力により回転されたカム筒６０１のバリア駆動部６０１ｆは、連動部１５２ｃを押すことにより、バリアドライブリング１５２をバリア閉方向に回転させる。
【００４４】
このとき、バリア主羽根１５４は、平面部１５４ｃとバリアドライブリング１５２の当接面１５２ｂとが開きばね１５３の付勢力により当接しているため、バリアドライブリング１５２の回転動作に連動しながらバリア閉方向に回転する。バリア副羽根１５５は、バリア主羽根１５４の当接面１５４ｄに当接面１５５ｂが押されることにより、バリア閉方向に回転する。
【００４５】
次に、図６を参照して、バリア部材（バリア主羽根１５４、バリア副羽根１５５）の開閉タイミングと、第１レンズ枠１０２およびバリア筒１５１の繰り出し量について説明する。図６は、バリア部材の開閉領域とバリア群１５０および第１レンズ群１００の繰り出しタイミングを示すタイミングチャートである。図６において、横軸はカム筒６０１の回転量を示し、左端が沈胴状態（ＳＩＮＫ）、中間が広角状態（ＷＩＤＥ）、右端が望遠状態（ＴＥＬＥ）である。縦軸は、バリア群１５０および第１レンズ群１００の繰り出し量を示す。実線はバリア群１５０の繰り出し量、一点鎖線は第１レンズ群１００の繰り出し量をそれぞれ示す。バリア部材の開閉作動は、図６中の領域Ａ内で行われる。
【００４６】
レンズ鏡筒１が沈胴状態から繰り出し状態（撮影状態）に移行する場合、バリア部材の開動作が完了した後、バリア筒１５１に対して第１レンズ枠１０２が突出方向（光軸方向の被写体側）に相対移動する。一方、レンズ鏡筒１が撮影状態から沈胴状態に移行する場合、バリア筒１５１に対して第１レンズ枠１０２が十分繰り込んだ後にバリア部材の閉動作が開始する。本実施例では、カム筒６０１の回転量が図６中の回転量Ｂとなった場合にバリア部材の閉動作を開始する。
【００４７】
このような構成により、バリア部材が完全に開いた状態でバリア群１５０と第１レンズ群１００との相対移動が行われるため、バリア部材を構成するバリア主羽根１５４およびバリア副羽根１５５が第１レンズ１０１と干渉することはない。また、バリア部材の開閉動作中のバリア群１５０と第１レンズ群１００（第１レンズ１０１および第１レンズ枠１０２）との隙間は、沈胴状態時の隙間と同等またはそれ以上になる。このため、砂ゴミなどに引っ掛かって動作不良となる可能性が小さくなる。
【００４８】
次に、図１、図３、および、図４を参照して、本実施例における第１レンズ群１００およびバリア群１５０の構造について詳述する。第１レンズ枠１０２には、第１レンズ１０１を保持するレンズ室１０２ｅ、および、第１レンズ１０１を第１レンズ枠１０２に接着する接着剤を溜める接着溝１０２ｆが設けられている。また第１レンズ枠１０２には、レンズ室１０２ｅおよび接着溝１０２ｆを囲うように第１レンズ１０１の周囲に設けられた砂除け溝１０２ｇ（溝部）が設けられている。また第１レンズ枠１０２には、砂除け溝１０２ｇの外側に（砂除け溝１０２ｇの周囲に）、周方向に延びる凹凸が繰り返し設けられた凹凸形状を有する砂除け部１０２ｈ（凹凸部）が設けられている。
【００４９】
また、バリアドライブリング１５２の裏側（像面側）には、第１レンズ枠１０２に設けられた砂除け溝１０２ｇに向けて突出した砂除け壁１５２ｇ（突起部）が設けられている。このようにバリアドライブリング１５２には、第１レンズ枠１０２の砂除け溝１０２ｇに向けて突出する砂除け壁１５２ｇが設けられている。本実施例において、砂除け壁１５２ｇは砂除け溝１０２ｇと類似の形状を有する。
【００５０】
続いて、砂除け溝１０２ｇ、砂除け部１０２ｈ、および、砂除け壁１５２ｇの作用について説明する。図３に示されるように、レンズ鏡筒１の繰り出し状態（撮影状態）、すなわちバリア開状態において、砂除け壁１５２ｇの少なくとも先端は、砂除け溝１０２ｇの内部に挿入される。このため、撮影状態において第１レンズ１０１とバリアドライブリング１５２との間の隙間から入った砂ゴミは、砂除け壁１５２ｇにより、レンズ鏡筒１の内部への侵入が効果的に防止され、砂除け溝１０２ｇに溜まる。
【００５１】
また図３と図４とを比較して分かるように、撮影状態（繰り出し状態）において、バリアドライブリング１５２（またはバリア筒１５１）と砂除け部１０２ｈとの光軸方向の距離Ｌ１（隙間）は、沈胴状態の場合の距離Ｌ２（隙間）よりも小さい。すなわち、繰り出し状態における第１レンズ枠１０２とバリア筒１５１またはバリアドライブリング１５２との間の光軸方向の隙間Ｌ１は、沈胴状態の場合の隙間Ｌ２よりも狭くなるように構成されている。このため、砂除け壁１５２ｇおよび砂除け溝１０２ｇを越えて侵入してきた砂ゴミは、砂除け部１０２ｈの凸部により、レンズ鏡筒１の径方向の外側への移動が妨げられる。このとき、砂ゴミは砂除け部１０２ｈの凹部に溜まるため、撮影状態と沈胴状態との間を移行する際のバリアドライブリング１５２の回転や、第１レンズ枠１０２とバリア筒１５１との間の光軸方向の相対移動を妨げることはない。
【００５２】
また、撮影状態（バリア開状態）において、砂除け部１０２ｈ（の凸部表面）とバリア筒１５１またはバリアドライブリング１５２との間の光軸方向の隙間は、砂除け溝１０２ｇ（の凹部表面）と砂除け壁１５２ｇ（の凸部表面）との間の光軸方向の隙間よりも狭い。このように、砂除け溝１０２ｇと砂除け壁１５２ｇとの間の距離よりも、砂除け部１０２ｈの凸部と相対するバリア筒１５１またはバリアドライブリング１５２との間の距離の方が小さくなるように構成されている。このため、砂除け壁１５２を越えて侵入してきた砂ゴミでも、砂除け部１０２ｈの凸部によってレンズ鏡筒１の径方向外側への移動が妨げられる。
【００５３】
次に、図７および図８を参照して、砂除け壁１５２ｇと砂除け溝１０２ｇとの位置関係について説明する。図７は、バリアドライブリング１５２が開き位相の場合における、砂除け壁１５２ｇと砂除け溝１０２ｇとの位置関係を示す正面図である。図８は、バリアドライブリング１５２が閉じ位相の場合における、砂除け壁１５２ｇと砂除け溝１０２ｇとの位置関係を示す正面図である。
【００５４】
図７および図８に示されるように、砂除け溝１０２ｇは、接着溝１０２ｆを含むレンズ室１０２ｅの周囲を囲む形状を有する。また、砂除け溝１０２ｇと砂除け壁１５２ｇは、接着溝１０２ｆを避けるように設けられている。本実施例において、砂除け溝１０２ｇのうち、接着溝１０２ｆを挟む両側の領域は、周方向に広く形成されている。このため、砂除け壁１５２ｇのうち、接着溝１０２ｆを挟む両側の領域は、バリア閉じ位置でもバリア開き位置でも砂除け溝１０２ｇの内部に挿入されることになる。
【００５５】
これにより、バリアドライブリング１５２の動作不具合などでレンズ鏡筒１が撮影状態（繰り出し状態）になってもバリアドライブリング１５２が閉じ位置に残った場合でも、砂除け壁１５２ｇが第１レンズ枠１０２に干渉することはない。このため本実施例によれば、信頼性の高いレンズ鏡筒が得られる。
【００５６】
次に、図９を参照して、本実施例におけるレンズ鏡筒１を備えた撮像装置の概略について説明する。図９は、本実施例における撮像装置１０（デジタルカメラ）の外観斜視図である。図９に示されるように、撮像装置１０は、撮像装置本体１１と撮像装置本体１１に取り付けられたレンズ鏡筒１とを備えて構成される。撮像装置１０の正面には、被写体の構図を決定するファインダ対物レンズ１７、測光動作や測距動作を行う際の光源の補助を行う補助光手段１２、ストロボ１３、および、レンズ鏡筒１（レンズ装置）が設けられている。また、撮像装置本体１１の上面には、レリーズボタン１４、ズーム切換えスイッチ１５、および、電源切換えボタン１６が設けられている。また本実施例において、レンズ鏡筒１は、沈胴状態と繰り出し状態（撮影状態）との間で移動可能に構成されている。
【００５７】
以上のとおり、本実施例のレンズ鏡筒１では、第１レンズ枠１０２の周囲に砂除け溝１０２ｇが設けられ、また、バリアドライブリング１５２から像面側に突出するように砂除け壁１５２ｇが設けられている。また、レンズ鏡筒１の撮影状態（繰り出し状態）において、砂除け溝１０２ｇの内部に砂除け壁１５２ｇの先端が挿入される。このため、本実施例によれば、レンズ鏡筒１の内部への砂ゴミなどの異物の侵入を低減して信頼性の高いレンズ鏡筒および撮像装置を提供することができる。
【００５８】
以上、本発明の好ましい実施形態について説明したが、本発明はこれらの実施形態に限定されず、その要旨の範囲内で種々の変形及び変更が可能である。
【符号の説明】
【００５９】
１：レンズ鏡筒
１０１：第１レンズ
１０２：第１レンズ枠
１０２ｇ：砂除け溝
１５１：バリア筒
１５２ｇ：砂除け壁
６０１：カム筒
【図１】
2014106295.tif 000003
【図２】
2014106295.tif 000004
【図３】
2014106295.tif 000005
【図４】
2014106295.tif 000006
【図５】
2014106295.tif 000007
【図６】
2014106295.tif 000008
【図７】
2014106295.tif 000009
【図８】
2014106295.tif 000010
【図９】
2014106295.tif 000011